(57)【要約】【課題】  自動販売機等の据付けの際に、簡単に確実に据付け位置を決定出来るゲージを開発すること。【解決手段】（イ）夫々摺動可能な二重構造のパイプ（パイプの内側に更にもう一本のパイプが摺動自在に挿入されたパイプ）から成るスケールパイプ４本から構成され、（ロ）上記各スケールパイプを接続器具で固定して長方形状に連結し、（ハ）上記４本の各スケールパイプの外側には、少なくとも１個の移動用握持部を設置し、且つ・  上記接続器具夫々には、ナット及び台座付ボルトがセットされているゲージを自販機据付固定用スライドゲージとして使用すること【選択図】    図２
2007041893.tif 000002
【特許請求の範囲】
【請求項１】
（イ）夫々摺動可能な二重構造のパイプ（パイプの内側に更にもう一本のパイプが摺動自在に挿入されたパイプ）から成るスケールパイプ４本から構成され、
（ロ）上記各スケールパイプを接続器具で固定して長方形状に連結し、
（ハ）上記４本の各スケールパイプの外側には、少なくとも１個の移動用握持部を設置し、且つ
（ニ）上記接続器具夫々には、ナット及び台座付ボルトがセットされていることを特徴とする器材据付固定用スライドゲージ
【請求項２】
上記二重構造のパイプが角パイプである請求項１に記載のスライドゲージ
【請求項３】
スライドパイプの外側に、更に摺動自在にスライドパイプ上を移動出来、且つ仮止め出来る短いパイプから成る付属部品が付設された請求項１又は２に記載のスライドゲージ
【発明の詳細な説明】
【技術分野】
【０００１】
本発明は器材据付固定用スライドゲージに関し、更に詳しくは器材代表的にはたとえば各種自動販売機（以下自販機という）を所定の位置に据付け固定する際に据付け位置を確定するために使用されるスライドゲージに関する。
【背景技術】
【０００２】
従来器材代表的には自販機（以下器材を代表して自販機という）は広く各種の場所に据付けて使用されており、この据付は転倒しないように安全に据付けられる必要がある。このためには、据付面の所定の位置に正確に自販機を据付け固定することが求められ、その位置決めが極めて重要とされる。
【０００３】
而して自販機を据付けて固定する場所の表面としては、コンクリート面、アスファルト面、土面等各種あり、更にこれ等の各面についても段差がある場合、傾斜している場合、道路の溝に亘って据付ける場合等極めて多岐に亘っている。そして自販機自体は、その大きさや重量は様々であり、自販機を実際に確実に且つ安全に据付け固定することは極めて煩雑にして熟練と手間を要するものであった。
【０００４】
特に自販機の据付位置の正確な位置決めは極めて難作業であり、しかもいったん据付け位置を決定してしまうと、その修正は極めて困難なものであった。
【０００５】
従来の自販機等の据付けは、たとえば代表例として土面の場合をとりあげて示せば図１に示す様な施工が採用されている。図１に於いて（１）は自販機であり、自販機の据付用足（２）は、土面表上の所定位置に固定された平板ブロック（３）に設置されたレベリング（４）によって固定されている。平板ブロック（３）は、土中に埋設された抗ブロック（５）とボルトで接続されており、抗ブロック（５）は、土中に於いてモルタル（６）で固められている。
【０００６】
そしてこの土面への平板ブロック（３）を所定位置に据付けるための位置決めは、次の様な方法により行なわれていた。即ち自販機の脚（台座ボルト）間の寸法を通常のメジャーで測定して、土中に埋設する抗ブロックの位置を決める原始的な寸法測定方法であった。
【０００７】
この従来の方法では、埋没の穴の位置決めは通常のメジャーでいちいち測定すること、及び埋設後の位置確認についても同様であり、測定するたび毎に、しかも測定する人も異なる場合もあり、正確且つスピーディーに出来ないという大きな難点があった。
【発明の開示】
【発明が解決しようとする課題】
【０００８】
本発明が解決しようとする課題は、この種自販機の据付に際し、その据付固定の位置決めに生ずる上記難点を解決することであり、更に詳しくは、極めて簡単にしかも確実に位置決めを行う器具就中ゲージを開発することである。
【課題を解決するための手段】
【０００９】
本発明が解決しようとする課題は
（イ）夫々摺動可能な二重構造のパイプ（パイプの内側に更にもう一本のパイプが摺動自在に挿入されたパイプ）から成るスケールパイプ４本から構成され、
（ロ）上記各スケールパイプを接続器具（好ましくは台形状の接続器具）で固定して長方形状に連結し、
（ハ）上記４本の各スケールパイプの外側には、少なくとも１個の移動用握持部を設置し、
（ニ）上記台形状の接続器具夫々に、ナット及び座付ボルトがセットされている
据付け固定用スライドゲージを使用して自販機の据付け固定を行うことにより解決される。
【００１０】
本発明を図面２〜４を参照して以下に詳しく説明する。
【００１１】
本発明の自販機据付け固定用スライドゲージは基本的には以下の構造を有する。
（イ）夫々摺動可能な二重構造のパイプから成るスケールパイプ（１０）（パイプの内側の更にもう一本のパイプが摺動自在に挿入されたパイプ）４本から成っていること。
（ロ）上記４本のスケールパイプ（１０）は夫々好ましくは台形状の接続器具（１１）で長方形に連結されていること
（ハ）上記二重構造のパイプ即ちスケールパイプ（１０）は縦方向乃至横方向にその外側（又は内側）のパイプを摺動して移動させることが出来、夫々の方向に伸縮自在の長さとなすことが出来ること
（ニ）上記４本の夫々のスケールパイプの外側には、少なくとも１個のパイプ摺動用握持部（１２）が設けられていること及び
（ホ）上記台形状の接続器具（１１）の夫々には、台座付ボルトと一対となったナット（１３）が固定されて、且つそのナット（１３）には台座付ボルト（１４）がセットされていること
を必須の要件としている。
【００１２】
図２〜４は本発明のスライドゲージの説明図であり、スケールパイプ（１０）は２重構造のパイプであって夫々４本のパイプ（１０）は、接続器具（１１）によって直方体の形状に連結、固定されている。
【００１３】
スケールパイプたるこの２重構造パイプ（１０）は夫々摺動自在に移動出来るようになっており、外側のパイプに設けられた握持部（１２）により、外側のパイプを夫々縦方向又は横方向に移動することが出来る。これにより、パイプ（１０）の夫々の、所定の長さ内で、伸ばしたり縮めたり（もとにもどしたり）することが出来る。
【００１４】
たとえば伸長した場合の最大の長さが１，６００ｍｍの場合を示すと図３の通りである。即ち二重構造のパイプ（１０）の外側のパイプが移動して、パイプ（１５）及びパイプ（１６）の状態になり、実質的にパイプ（１０）がパイプ（１５）やパイプ（１６）の長さに伸長したこととなる。尚パイプの伸びは、二重構造のパイプが夫々離脱しないように、末端（１７）で二重構造が残っている状態となっている。
【００１５】
接続器具（１１）は好ましくは台形状であり、これとパイプ（１０）との夫々の接続固定は、図２〜４に示す如く、接続器具（１１）の一方の端部（１８）で、適当な固定手段たとえばリベット（１１）により、固定されている。尚この接続は接続器具（１１）の他端（１９）でも同様に行われ、４個の接続器具夫々にパイプ（１０）が長方形状に固定されている。尚この接続器具（１１）とパイプ４本との夫々の接続は、４角形の夫々対角にある２ヶの接続器具は内側のパイプ（１０）と、他の２つは外側のパイプ（１０）と接続されている。
【００１６】
パイプ（１０）の端部は接続器具（１１）のほぼ中央に設けられたナット（１３）の中心線の延長上の位置で固定される。これは実際に本発明スライドゲージを用いて自販機を固定すべき箇所の設置位置就中レベリングを用いて固定するときに、このボルトが接続器具（１１）のボルトの位置に相当し、位置決めに極めて好ましい。
【００１７】
この接続器具（１１）のナット（１３）には台座付ボルト（１４）がセットされ、ゲージ全体の高さを調節出来るようになっている。尚このボルトの台座により、ゲージ自体を据付け面に当接して計測が出来る。
【００１８】
本発明に於いては図２〜４に示す通り、奥行が４９５ｍｍ程度以下、通常３００ｍｍ程度の自販機の場合、即ち、本発明のスライドゲージではそのまま使用しても、自販機の奥行が小さすぎて、測定出来ないような場合には、このような小さい奥行きの自販機でも計測出来るように、付属部品（２０）を夫々４本のパイプ（１０）に付設することが出来る。
【００１９】
図２〜４にはいずれも二重パイプの更に外側に付属部品（２０）を付設した場合を示し、この付属部品（２０）は、二重構造パイプの更に外側に短い長さのパイプ（２１）をはめ込み（この部分は３重のパイプ構造となっている）、側面にナット（２２）を固定し、その横に蝶ネジ（２３）を用いて適当な位置で仮止め出来るようになっている。
【００２０】
この付属部品（２０）はこの構造に限られず、たとえばスケールパイプ（２重構造パイプ）の下からはめ込み、横から蝶ネジで固定するようにしても良い。
【００２１】
本発明に於いて使用されるパイプ（１０）は、その形状は円形パイプや角形パイプ、多角形パイプ等各種の形状のパイプが使用され、その代表例として角形パイプを例示出来る。
【００２２】
材質としても、スライドゲージとして使用出来る程度の強度を有するパイプであれば良く、各種金属たとえば鋼、鉄、鉄合金、ステンレス等をはじめ、その他合成樹脂、木材等でも良い。
【００２３】
パイプの大きさとしては特に制限されず、使用に便利なサイズで良い。たとえば円形の場合は直径１５〜２５ｍｍ程度、４角形の場合は対角線として１５〜３０ｍｍ程度である。
【００２４】
本発明のスライドゲージの代表的な使用例を図８〜１０を参照して説明する。
【００２５】
図８は平板ブロック２つを連結したものを用いた場合を示し、平板ブロック１ヶづつにレベリングが１ケづつ固定された場合であり、この平板ブロックを連結したものを両サイドに使用する際の位置決めに、本発明のスライドゲージを用いた具体例である。
【００２６】
図９は平板ブロックを４ヶ連結した場合を示し、レベリングの設置位置（方向）が夫々異なる場合を示している。また図１０はレベリングが平板ブロックの４角に存在する場合の本発明スライドゲージの使用例である。  
【発明の効果】
【００２７】
本発明スライドゲージは、すでに述べた通り、二重構造のパイプが４角形に接続されており、パイプ（１０）自体はその縦又は（及び）横方向に摺動自在に移動出来る構造となっていて、パイプ（１０）を伸縮することにより、極めて簡単に且つ確実に計測が出来る。しかもこの二重構造パイプの外側には、握持部（１２）を設けているために、縦又は（及び）横方向に容易にスライドして移動せしめることが出来る。加えて、特に奥行きの小さな自販機の場合は付属部品（２０）を用いることにより、計測が出来る効果がある。
【００２８】
本発明法に依れば、自動販売機の据付固定が極めて容易簡単に、しかも確実、安全に行うことが出来る。
【発明を実施するための最良の形態】
【００２９】
以下に実施例を示して本発明を詳しく説明する。
【実施例１】
【００３０】
図２〜４に示す本発明ゲージを用いて、実際に自動販売機を土面に据付けた例を図面を用いて説明する。
【００３１】
尚この実施の据付け完成図は図１に示しており、その他図５、図６及び図７を用いてその据付方法を説明する。
【００３２】
図５−１に示す通り据付け土面に本発明スライドゲージを載置する。次いで図５−２に示す通り、スライドゲージを用いて位置を設定し、次いで図５−３に示す如く平板ブロック治具による抗ブロック埋設の位置決めを行い図５−５及び−６に示す通り、抗ブロック埋設位置にピンを打つ。
【００３３】
その後各種の器具を用いて土面に穴をあけ、バラス埋設後モルタル施工し、抗ブロック（２３０型）を埋設し、抗ブロック埋設位置を確認する。確認後、抗ブロックのツバ部分までモルタルを流し込み、土を埋め戻す。その後平板用モルタル施工用型ワクを置き、モルタルを流し込み、施工仕上げ後、型ワクを外し、図６−１に示す通り平板を施工する。この平板の上に図６−２から図６−５に示す如く位置決めを行う。これを４ヶ所行う。そして本発明ゲージを用いて図７に示す如く、位置を最終確認する。
【００３４】
次いで常法通り、自販機を据付ける。
【００３５】
本発明ゲージを用いることにより、極めてスムーズに各種の位置決めが行え、その据付け時間は大きく短縮出来た。
【図面の簡単な説明】
【００３６】
【図１】図１は土面に自販機を据付けた状態を示す説明図である。
【図２】図２は本発明スライドゲージの説明図である。
【図３】図３は本発明スライドゲージの説明図である。
【図４】図４は本発明スライドゲージの説明図である。
【図５】図５は本発明スライドゲージを用いて図面への自販機据付けの際の工程の一部を示す説明図である。
【図６】図６は本発明スライドゲージを用いて図面への自販機据付けの際の工程の一部を示す説明図である。
【図７】図７は本発明スライドゲージを用いて図面への自販機据付けの際の工程の一部を示す説明図である。
【図８】図８は本発明のスライドゲージの一使用例を示す。
【図９】図９は本発明のスライドゲージの一使用例を示す。
【図１０】図１０は本発明のスライドゲージの一使用例を示す。
【符号の説明】
【００３７】
１  ：    自動販売機
２  ：    据付用足
３  ：    平板ブロック
４  ：    レベリング
５  ：    抗ブロック
６  ：    モルタル
１０  ：  パイプ
１１  ：  パイプの接続器具
１２  ：  握持部
１３  ：  ナット
１４  ：  ボルト
１５  ：  伸長したパイプ
１６  ：  伸長したパイプ
１７  ：  末端
１８  ：  接続器具の他の末端
１９  ：  接続器具の他の末端
２０  ：  付属部品
２１  ：  短いパイプ
２２  ：  ナット
２３  ：  蝶ネジ
【図１】
2007041893.tif 000003
【図２】
2007041893.tif 000004
【図３】
2007041893.tif 000005
【図４】
2007041893.tif 000006
【図５】
2007041893.tif 000007
【図６】
2007041893.tif 000008
【図７】
2007041893.tif 000009
【図８】
2007041893.tif 000010
【図９】
2007041893.tif 000011
【図１０】
2007041893.tif 000012